(57)【要約】【課題】吸気装置を簡易に組み込むことができるようにする。【解決手段】洗浄水の通過により発生した負圧に基づいて外気を取り込み、タンク２０内に空気圧を作用させるようにした吸気装置は、流路の一部が絞られたエゼクタ３０を有する。エゼクタ３０はその軸線方向と直交する方向にエアー吸引部３９が突出している。外気に開放可能な第３開閉弁Ｖ３の側面には逆止弁１１１が嵌合し、逆止弁１１１の接続口１１６にエアー吸引部３９が嵌合する。エゼクタ３０はタンク２０内に突っ込まれ、第３開閉弁Ｖ３はエゼクタ３０と反対側の面がブラケット３０４の位置決め片３１０に当接することで、エゼクタ３０及び第３開閉弁Ｖ３は嵌合方向に関して位置決めがなされるため、両者の間に特別な固定手段を用いなくとも嵌合状態を維持することができる。【選択図】図４
2008261169.tif 000002
【特許請求の範囲】
【請求項１】
給水経路へ洗浄水を通過させることにより内圧降下を誘起させ、これによって発生した負圧により外気を取り込み、洗浄水に空気を混入させるようにした水洗式便器用の吸気装置であって、
前記給水経路が軸方向に沿って形成されるとともにその途中に流路が絞られた絞り部が形成された本体とこの本体の側面に設けられ前記給水経路に連通するエアー吸引部とを有するエゼクタと、
このエゼクタの軸方向と交差する方向から組み付けられ前記エアー吸引部と嵌合可能な接続部を有して前記エアー吸引部を外気に連通可能とするエアー開放弁と、
前記エゼクタと前記エアー開放弁とが取り付けられる相手部材と、
この相手部材に形成され前記エゼクタと前記エアー開放弁とを前記組付け方向に関してそれぞれ位置決めをすることにより、前記エアー吸引部と前記接続部とを嵌合状態に保持する位置決め部とを備えてなることを特徴とする水洗式便器用の吸気装置。
【請求項２】
前記エアー吸引部と前記接続部との嵌合部には、前記エアー開放弁側へ前記洗浄水が流れ込むのを阻止する逆止弁が、取り外し可能に組み込まれていることを特徴とする請求項１に記載の水洗式便器用の吸気装置。
【請求項３】
前記エアー開放弁と外気とを連通させる経路中にサイレンサが設けられていることを特徴とする請求項１又は請求項２に記載の水洗式便器用の吸気装置。
【請求項４】
前記エゼクタが取り付けられる前記相手部材は、前記便器本体に接続されるタンクであり、前記位置決め部は前記タンクの壁面に開口し前記エゼクタの前記本体を軸方向から位置決め状態で挿通させる流入口であり、
一方、前記エアー開放弁が取り付けられる前記相手部材は、前記エアー開放弁を前記便器本体に対して直接あるいは間接的に取り付けを行うためのブラケットに一体に形成され前記エアー開放弁における前記接続部とは反対側の面に当接する位置決め片であることを特徴とする請求項１乃至請求項３のいずれかに記載の水洗式便器用の吸気装置。
【発明の詳細な説明】
【技術分野】
【０００１】
本発明は水洗式便器用の吸気装置に関する。
【背景技術】
【０００２】
従来より、便器本体に対する洗浄効果を高めるための方式の一つに、給水経路途上で流速を増速させ、これによって生じた負圧を利用する方式が知られている。その一例として、下記特許文献１のものを挙げることができる。このものは、水封部の下流側に負圧を作用させて水封部内の水を積極的に下流側に引っ張る、というサイホン現象の支援を行う方式である。具体的には、給水管にバイパス路を接続するとともに、このバイパス路内に流路面積を絞ったスロートを形成しており、洗浄水がスロートを通過する過程でブース内を負圧化し、さらにブース内に設けられたベローズを介して水封部の下流側の空気を吸引する構造が採用されている。
【特許文献１】特開平７−５４３８８号公報
【発明の開示】
【発明が解決しようとする課題】
【０００３】
しかし、このものでは負圧発生させている機構（スロート）と、ここで生じた負圧を水封部の下流側に作用させるのに関与する機構（ブース）を含め、これらの相互間、さらにはそれぞれを水洗式便器のシステム中へ組み込むのに際し、全て配管を用いての接続によっている。このような配管を用いて接続する方式は、配管同士の接続の際のねじ締め作業を強いられたりして作業に手間取る。また、接続に必要な部品点数の増加によって構造も複雑化する、といった問題もある。
【０００４】
本発明は上記のような事情に基づいて完成されたものであって、水洗式便器中に簡易に組み込むことができる吸気装置を提供することを目的とする。
【課題を解決するための手段】
【０００５】
本発明の水洗式便器用の吸気装置は、給水経路へ洗浄水を通過させることにより内圧降下を誘起させ、これによって発生した負圧により外気を取り込み、洗浄水に空気を混入させるようにした水洗式便器用の吸気装置であって、給水経路が軸方向に沿って形成されるとともにその途中に流路が絞られた絞り部が形成された本体とこの本体の側面に設けられ給水経路に連通するエアー吸引部とを有するエゼクタと、このエゼクタの軸方向と交差する方向から組み付けられエアー吸引部と嵌合可能な接続部を有してエアー吸引部を外気に連通可能とするエアー開放弁と、エゼクタとエアー開放弁とが取り付けられる相手部材と、
この相手部材に形成されエゼクタとエアー開放弁とを組付け方向に関してそれぞれ位置決めをすることにより、エアー吸引部と接続部とを嵌合状態に保持する位置決め部とを備えてなる構成としたことを特徴とする。
【０００６】
このような構成である本発明の水洗式便器用の吸気装置では、エゼクタとエアー開放弁とは、その取り付け相手となる相手部材の位置決め部により、組付け方向に関して共に位置決めされた状態で取り付けられる。このことによって、エアー吸引部と接続部とはねじ止め等の特別な固定手段を設定しなくとも、嵌合状態を維持することができる。したがって、部品点数が削減され、かつメンテナンス作業も効率よく行うことができる。
【０００７】
また、エアー吸引部と接続部との嵌合部には、エアー開放弁側へ洗浄水が流れ込むのを阻止する逆止弁が、取り外し可能に組み込まれていることが好ましい。
【０００８】
このようにすれば、逆止弁を、単なる嵌め合いがなされているだけのエアー吸引部と接続部との間に組み込むものとなるから、逆止弁の組付け・取り外しの作業も簡単に行うことができる。
【０００９】
さらに、エアー開放弁と外気とを連通させる経路中にサイレンサを設けるようにしてもよい。  
そのようにすれば、エアー開放弁が開放してエゼクタ内に外気が取り込まれるときの吸気音をサイレンサによって緩和させることができる。
【００１０】
さらにまた、エゼクタが取り付けられる相手部材は、便器本体に接続されるタンクであり、位置決め部はタンクの壁面に開口しエゼクタの本体を軸方向から位置決め状態で挿通させる流入口であり、一方、エアー開放弁が取り付けられる相手部材は、エアー開放弁を便器本体に対して直接あるいは間接的に取り付けを行うためのブラケットに一体に形成されエアー開放弁における接続部とは反対側の面に当接する位置決め片であるものとしてもよい。
【００１１】
このような構成によれば、エゼクタはタンクに対して取付けがなされ、エアー開放弁は便器本体へのブラケットに対して取付けがなされ、それぞれ別個の相手部材によって組付け方向への位置決めがなされる。したがって、単一の相手部材によって位置決めを行うとした場合には、エゼクタとエアー開放弁とを予め接続状態にした後に位置決めを行わねばならず、作業手順が拘束されてしまうが、請求項４の発明のような別個の相手部材にすればエゼクタとエアー開放弁との接続作業をそれぞれの相手部材に位置決めした後に行うことも可能であり、作業手順の自由度を高めることができる。
【発明を実施するための最良の形態】
【００１２】
＜実施形態１＞
本発明の実施形態１を図１ないし図４によって説明する。まず、図１によって、本実施形態の洋風水洗式便器全体の概略構成を説明する。図中、１は便器本体であり、上部内周にリム３を有している。便器本体１は便鉢２の下端から便鉢２の裏面側で後方に延びる上昇流路を有し、便鉢２の下方には上昇流路を含む水封部４が形成されている。便器本体１の上昇流路は接続管と接続されており、接続管内には便器排水路５、滞留部６及び排水口７が形成されている。
【００１３】
便器本体１が据え付けられるトイレルームの床面又は壁面から引き出された水道管には止水栓Ｖ５が備えられ、止水栓Ｖ５には導水管１０が接続されている。導水管１０には上流側から順に、ストレーナ装置１１（止水弁とストレーナとを内蔵する。）、定流量弁１２、第１開閉弁Ｖ１、バキュームブレーカ１３が配されている。導水管１０においてバキュームブレーカ１３の下流側には洗浄水を通過させつつ負圧を発生させるエゼクタ３０が接続されている。
【００１４】
後に改めて詳述するが、エゼクタ３０内に設けられた給水経路１４の一部は経路面積が絞られて絞り部１５となっていて、この絞り部１５を洗浄水が通過するときに内圧降下を誘起させて負圧を生じさせる。一方、エゼクタ３０の他端側は洗浄水を貯留するためのタンク２０内へ挿入され接続がなされている。タンク２０内はエゼクタ３０の端部が突っ込まれる流入室２５と、この流入室２５と底部において連通し便器本体１のリム３の内側へ通じる送出管４０の端部が突っ込まれる流出室２６とに簡易的に仕切られている。流入室２５の内部は第２開閉弁Ｖ２を介して大気に開放及び閉止可能となっている。この実施形態では、流入室２５はさらに簡易的に二室に仕切られ、図示中央の室はエゼクタ３０（詳細にはエゼクタ３０に接続されたノズル５０）から吐出される洗浄水によって旋回流を生じさせる旋回室２９なっている。
【００１５】
エゼクタ３０の側面には絞り部１５の下流側へと通じるエアー吸引部３９が設けられている。エアー吸引部３９は、絞り部１５を洗浄水が通過することに伴って発生した負圧により外部から空気を吸引する。エアー吸引部３９は逆止弁１１１を介して導圧路１１０へと通じている。逆止弁１１１は洗浄水が導圧路１１０側へ流入するのを阻止する一方で、導圧路１１０側からエゼクタ３０側へのエアーの進入を許容する。
【００１６】
導圧路１１０には上記負圧を蓄えておくための負圧蓄圧タンク７０が接続されている。導圧路１１０は途中で分岐しており、第３開閉弁Ｖ３を介して外気に連通可能である。導圧路１１０は他にも分岐箇所があり、第４開閉弁Ｖ４を介して吸引タンク８０へ通じている。吸引タンク８０内は可撓性を有する隔膜８３によって第１室８１と第２室８２との二室に区画され、第１室８１は第４開閉弁Ｖ４へと通じており、第２室８２は吸引路９０によって便器排水路５に接続されている。隔膜８３は第１・第２の両室を相互に連通し合わない密封状態を確保し、汚物を含んだ洗浄水や臭気が負圧蓄圧タンク７０やエゼクタ３０側へ入り込む事態を確実に阻止している。
【００１７】
なお、第１乃至第４開閉弁Ｖ１〜Ｖ４は電磁弁であり、図示しない制御装置によって開閉動作（動作タイミングと動作時間）が制御されるようになっている。
【００１８】
上記した水洗式便器の作動の概要を説明する。非洗浄時には、第１乃至第３開閉弁Ｖ３はいずれも閉弁状態にある。このときには、タンク２０内に洗浄水が貯留され、吸引タンク８０内の隔膜８３は吸引タンク８０内の下壁面側に垂れている。
【００１９】
用便後に、使用者が洗浄スイッチ（図示しない）を操作すると、制御装置（図示しない）からの信号を受け第１開閉弁Ｖ１が開弁する。これにより、洗浄水が導水管１０内を通ってタンク２０内の旋回室２９内に流入する。この間、洗浄水はエゼクタ３０の絞り部１５を通過する過程で増速されるため、エゼクタ３０内では内圧降下が誘起される。その結果生じた負圧の作用により、負圧蓄圧タンク７０内のエアーが導圧路１１０、逆止弁１１１を介してエゼクタ３０内に吸引される。したがって、洗浄水は旋回室２９内へエアーが混じりあった状態で流入する。その後、タンク２０内で分離したエアーは上部に溜まって流入室２５内の水面を押し下げるように作用する。一方で、負圧蓄圧タンク７０内では負圧が徐々に高められてゆく。
【００２０】
タンク２０内への洗浄水の流入と並行して、タンク２０の流出室２６からは洗浄水が流出し、送出管４０を介してリム３に供給される。これにより、洗浄水は便鉢２の内面に沿って旋回しながら流れ落ち、汚物を便鉢２の中央に集める。
【００２１】
上記洗浄スイッチ（図示しない）の操作がなされた時点から所定時間が経過すると、制御装置により第４開閉弁Ｖ４が開弁する。このときには、第１開閉弁Ｖ１の開弁状態は維持されたままである。第４開閉弁Ｖ４の開弁に伴って負圧蓄圧タンク７０内の負圧が吸引タンク８０の第１室８１に作用し、これと併せてエゼクタ３０内では洗浄水が通過し続けていることから、エゼクタ３０内で生じた負圧もまた、同様に第１室８１に作用している。したがって吸引タンク８０内の隔膜８３は、吸引タンク８０の上壁面側へ持ち上げられる。これにより、便器本体１内の便器排水路５内の空気が吸引される。このことと、タンク２０から供給された洗浄水が便鉢２内の水位を水封部４よりも高くしていることによる強力なサイホンの作用により強い排出流が形成され、汚物を便器排水路５を経て排出することができる。
【００２２】
第４開閉弁Ｖ４が開弁して所定時間が経過した後（便鉢２内が設定水位（最低水位よりはやや上位）にまで下がった時期に概ね合致する）、制御装置により第４開閉弁Ｖ４が閉弁され、代わって第３開閉弁Ｖ３が開弁する。この時点においても、洗浄水はエゼクタ３０内を通過し続けているため、大量の外気がエゼクタ３０を通してタンク２０内に取り込まれる。その結果、流入室２５内のエア圧が高められ、流入室２５内の水面を一気に押し下げることから、流出室２６からの洗浄水の流出量が急速に増加し、便鉢２内へは短時間で多量の洗浄水が供給される。かくして、便鉢２内には強力な旋回流が生じ汚物の排出が確実に行われる。
【００２３】
上記のようにして洗浄水の増加工程が行われたら、一旦、第１開閉弁Ｖ１が閉じられかつ第４開閉弁Ｖ４が開かれる。これにより、エゼクタ３０内での負圧発生が止むとともに、吸引タンク８０の第１室８１へ外気が取り込まれ、内部の隔膜８３が下方へ移動する。これに伴って、第２室８２内の空気が便器排水路５へ押し出されるため、便器排水路５内の水位が押し下げられサイホン作用が終了する。
【００２４】
こうして隔膜８３の復帰がなされたら、第１開閉弁Ｖ１が再度開かれ、第４開閉弁Ｖ４は逆に閉じられる。このときには第２開閉弁Ｖ２も開放される。すると、エゼクタ３０内では負圧発生作用が再開し旋回室２９内へは外気の取り込みとともに、洗浄水の流入がなされる。その結果、タンク２０内の水位は洗浄開始前の水位に復帰するとともに、流出室２６から洗浄水が流出することで、便鉢２内の水位も同様に復帰する。
【００２５】
最後に、第１開閉弁Ｖ１が閉じられ第４開閉弁Ｖ４が開放される。これにより、外気が吸引タンク８０内の第１室８１内に取り込まれ、隔膜８３が下方へ垂れて原状態に復帰する。その後、第２〜第４開閉弁Ｖ４も閉じられて全開閉弁が閉弁状態となり、一連の洗浄工程が終了する。
【００２６】
ところで、本実施形態においては、エゼクタ３０と第３開閉弁Ｖ３との接続構造が特徴的である。
【００２７】
図２に示すように、便器本体１は、便鉢２の後方に収納部１Ｓが設けられている。収納部１Ｓは上方へ開放し、左右側から後面側にかけてを側壁によって取り囲むことによって形成されている。
【００２８】
タンク２０は、吊り下げフレーム３００内にセットされ収納部１Ｓ内に吊り下げられた状態で支持される。吊り下げフレーム３００は、上向きコの字状をなす縦フレーム３０１と、バンド状をなして縦フレーム３０１に対し水平姿勢で上下に取り付けられた一対の横フレーム３０２とによって構成されている。縦フレーム３０１の下面にてタンク２０の底面が支持され、タンク２０の側面に対しては縦フレーム３０１のうち垂直方向に伸びる一対の片（垂直片３０１ａ，３０１ｂ）と両横フレーム３０２とによって拘束される。縦フレーム３０１の一方の垂直片３０１ａ（図２の奥側の片）の上部は便器本体１の前後方向へ向けて分岐されるとともに、これらの上端は前方あるいは後方へ向けて直角に屈曲して係止片３０３ａが形成されている。また、他方の垂直片３０１ｂの上端も左方向へ向けて直角に屈曲して係止片３０３ｂを形成している。各係止片３０３ａ，３０３ｂは、収納部１Ｓの開口面の対向する両長辺部の上縁および一方の短辺部（図２の手前側の短辺部）の上縁にそれぞれ引っ掛けられてボルト締めがなされる。
【００２９】
タンク２０は吊り下げフレーム３００内へ収容された後に、吊り下げフレーム３００の上部に取り付けられるブラケット３０４によって上方への抜け止めがなされる。ブラケット３０４は金属製板材をプレス加工して形成したものである。その基板３０５には長孔である逃がし孔３０６が開口しており、その延び方向は
エゼクタ３０と第３開閉弁Ｖ３との接続方向に沿うようにしてある。逃がし孔３０６の長さ方向の一端側にはエゼクタ３０をねじによって固定するための一対の取付孔３０７が逃がし孔３０６を挟んで開口している。基板３０５において両取付孔３０７が形成されている側の側縁には上向きに第１装着片３０８が折り曲げ形成されている。第１装着片３０８は吊り下げフレーム３００の垂直片３０１ａの上端部内側に密着し、ねじによって締め付け固定される。基板３０５において第１装着片３０８と反対側の側縁は下向きに折り曲げられて第２装着片３０９が形成されている。第２装着片３０９は基板３０５から外方へ張り出すように延び、吊り下げフレーム３００の他方の垂直片３０１ｂの外側面に密着し、ねじ止めによって相互の締め付け固定がなされている。これにより、タンク２０は吊り下げフレーム３００から上方へ外れ止めされる。
【００３０】
タンク２０の上蓋２１には図２に示すように、送出管４０が引き出され、これに隣接して第２開閉弁Ｖ２が設置されている。第２開閉弁Ｖ２の隣には図３に示すように、エゼクタ３０、第３、第４開閉弁Ｖ３，Ｖ４及びサイレンサ７１を一体化させた吸気ユニットＵが配されている。
【００３１】
エゼクタ３０は図４に示すように、略円筒状の本体３１を有するとともに、内部には軸心に沿って洗浄水の給水経路１４が貫通して形成されている。本体３１の外周面において長さ方向中央部より下方にかけての長さ範囲には格子状に凹凸部３５が形成されている。本体３１は、タンク２０の上蓋２１の流入口２３を貫通してタンク２０内に突っ込まれている。この実施形態においては、流入口２３周りには上蓋２１の内外方向に突出して接続筒部２２を形成している。接続筒部２２は凹凸部３５のほぼ全長さ範囲を嵌合可能とする長さをもって形成されている。凹凸部３５の途中にはシールリング３６が嵌め付けられていて、接続筒部２２の内周面に密着してシールをとっている。本体３１において凹凸部３５よりも下部側はタンク２０内に支持されたノズル５０へ突っ込まれている。但し、詳細には図示されないが、ノズル５０の吐出側端部は旋回室２９の壁面に沿うよう指向し、前述したように旋回室２９内に旋回流を生じさせることができる。
【００３２】
エゼクタ３０内において洗浄水の入り口側にはスロート部材３２が組み込まれている。スロート部材３２は給水経路１４内に同心で装入され、下端側に向けて先細りとなる円錐状の絞り部１５を備えており、下方へ向けて徐々に流路面積が減少するように形成されている。絞り部１５の先端（下端）は本体３１に形成された狭小部３３の漸減路３４に臨ませてある。すなわち、給水経路１４において絞り部１５の出口に対向する部分は下方へ向けて徐々に流路面積が減ぜられるように形成され、最も流路径が絞られた狭小部３３との間が漸減路３４とされ、狭小部３３より下流側は流路面積が徐々に拡大するようにしてある。かくして、洗浄水が絞り部１５を通過する過程で洗浄水の流速が速められ、これによる内圧降下に伴ってエゼクタ３０内に負圧を発生させることができる。
【００３３】
また、エゼクタ３０の側面には筒状をなすエアー吸引部３９が設けられ、本体３１の軸線方向と交差する方向（本実施形態では直交する方向）へ向けて突出している。このエアー吸引部３９は漸減路３４の入り口より僅かに上流側でスロート部材３２の絞り部１５の下端部に連通する箇所に配されている。
【００３４】
一方、第３、第４開閉弁Ｖ３，Ｖ４は共通のベース部材１２０を有しており、両開閉弁Ｖ３，Ｖ４はベース部材１２０の上面に対しそれぞれねじ止めによって取り付けられている。ベース部材１２０における第３開閉弁Ｖ３に対応した位置には下向きに膨出部１２１が突出している。膨出部１２１内には導圧路１１０の一部が形成されている。この導圧路１１０の途中には図示しない弁体が設けられ、導圧路１１０を開閉可能としている。ベース部材１２０の一方（図３の手前側：第３開閉弁Ｖ３寄り）の側縁部にはサイレンサ７１が固定されている。サイレンサ７１は上面に吸い込み口７２を突出させており、ここから取り込まれた外気をサイレンサ７１内部の消音機構（図示しない）を経てベース部材１２０内の導圧路１１０へと取り込むことができる。
【００３５】
膨出部１２１においてエゼクタ３０と対向する側の面には導圧路１１０と連通する円形の差込み口１２２が開口しており、ここには逆止弁１１１が組み込まれる。逆止弁１１１は、円筒状をなすバルブハウジング１１２を有しており、差込み口１２２内へシールリング１２３を介在した状態で差し込まれる。バルブハウジング１１２は膨出部１２１内の導圧路１１０へと通じる流入ポート１１３が開口しているとともに、この流入ポート１１３にはチェックボール１１４が設けられていて、チェックボール１１４が流入ポート１１３の弁座に着座することで流入ポート１１３を閉じ、洗浄水が第３開閉弁Ｖ３側に逆流するのを防止する。しかし、チェックボール１１４が弁座から離れると、流入ポート１１３は開放し、外気をエゼクタ３０内に取り込むことができる。
【００３６】
バルブハウジング１１２内にはチェックボール１１４に対する抜け止めを兼ねたフィルター１１５が、シールリングを介在した状態で収容されている。また、バルブハウジング１１２は差込み口１２２内に差し込まれたときに、ベース部材１２０から水平方向外方へ突出する長さをもって形成され、その突出端はエゼクタ３０のエアー吸引部３９に対する接続口１１６となっている。この接続口１１６へエゼクタ３０のエアー吸引部３９を正規深さまで差込んだときには、エアー吸引部３９の前端にてフィルター１１５の後面を押し、逆止弁１１１全体が差込み口１２２内の奥壁に押し付けられる。
【００３７】
上記のように構成された吸気ユニットＵをタンク２０に対して固定する場合には、逆止弁１１１を膨出部１２１の差込み口１２２を組み込んでおき、そのもとでエゼクタ３０のエアー吸引部３９を逆止弁１１１の接続口１１６へ差し込んでおく。このときには、エアー吸引部３９と差込み口１２２とは単なる差込みがなされているだけで、両者の間の接続状態を固定する手立ては特には講じられていない。したがって、このときにはエゼクタ３０、逆止弁１１１、第３開閉弁Ｖ３はこれらの組付け方向に関する変位が許容されているため、吸気ユニットＵは未だ仮の組付け状態に過ぎない。
【００３８】
この仮アッセンブリー状態にある吸気ユニットＵを、ブラケット３０４上方に位置させ、エゼクタ３０の下端側をタンク２０の上蓋２１の接続筒部２２へと突っ込む。これによって、まずエゼクタ３０の水平方向に関する位置決めがなされる。エゼクタ３０が正規深さまで接続筒部２２へ突っ込まれた状態では、逃がし孔３０６の内側に膨出部１２１の下面部が嵌め入れられる。これによって、膨出部１２１の側面が逃がし孔３０６の開口縁の両長辺部とほぼ当接する状態となり、図３におけるＹ矢印方向の位置決めがなされる。また、ブラケット３０４の側縁には第２装着片３０９と隣接して位置決め片３１０が起立しており、エアー吸引部３９が逆止弁１１１に対して正規深さまで突っ込まれた状態では、ベース部材１２０においてエゼクタ３０とは反対側の側面が位置決め片３１０の内面上部に当接するような設定となっている。かくして、ベース部材１２０とエゼクタ３０はそれぞれ図３におけるＸ矢印方向に関する位置決めがなされるため、エアー吸引部３９と第３開閉弁Ｖ３（逆止弁１１１）とは単に差し込まれるだけの関係であるにも拘わらず、この間に特別な固定手段を講じなくとも両者は正規の接続関係に維持される。したがって、これらの間の接続箇所を構成する部品点数を削減することができ、併せて作業工数も減らすことができる。また、メンテナンスも容易となる。
【００３９】
また、本実施形態では第３開閉弁Ｖ３との間に逆止弁１１１を介在させるようにしたため、逆止弁１１１の組み込みにも特別な部品を必要とせず、作業性の一層の向上も図れる。
【００４０】
さらに、吸気ユニットＵの位置決めはタンク２０の抜け止めを行うブラケット３０４を利用し、ここに形成された位置決め片３１０によって行うようにしたため、位置決めのための特別な部材も必要とせずに済んでいる。
【００４１】
さらにまた、本実施形態ではエゼクタ３０側はタンク２０によって位置決めを行い、第３開閉弁Ｖ３側はブラケット３０４の位置決め片３１０によって位置決めを行うようにしている。つまり、エゼクタ３０と第３開閉弁Ｖ３とは別個の相手によって位置決めを行うようにしている。仮に、同一の相手によって位置決めを行うようにした場合には、エゼクタ３０と第３開閉弁Ｖ３とを予め正規の接続状態にしてから当該同一の相手部材によって位置決めされねばならない、といった作業手順の拘束を受ける。しかし、本実施形態のように、別個の相手部材によって個別に位置決めされるようにすれば、エゼクタ３０と第３開閉弁Ｖ３とを相手部材に別個に仮付けしておき、エゼクタ３０と第３開閉弁Ｖ３を接続しつつ各相手部材の位置決め固定を行うといった作業手順を選択することも可能となるなど、作業手順選択の自由度が高まる、といった効果も得られる。
【００４２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４３】
（１）本実施形態ではエゼクタ３０の位置決めはタンク２０側へ突っ込むことによって行ったが、ブラケット３０４の逃がし孔３０６によって行っても良い。また、必ずしも逃がし孔３０６によらず、エゼクタ３０を貫通させる専用の孔を利用してもよい。
【００４４】
（２）エゼクタ３０とベース部材１２０側との接続作業順は本実施形態のものに限らず、変更可能である。例えば、エゼクタ３０をタンク２０に突っ込んだ後にベース部材１２０との接続を行う作業順の採用も可能である。
【００４５】
（３）エゼクタ３０と第３開閉弁Ｖ３との接続にあたり、必ずしも逆止弁１１１を介在させる必要はなく、直接に接続するようにしてもよい。
【産業上の利用可能性】
【００４６】
本発明は水洗式便器に利用可能である。
【図面の簡単な説明】
【００４７】
【図１】洋風水洗式便器の模式図
【図２】同じく部分分解斜視図
【図３】エゼクタ及び第３開閉弁の組付け構造を示す分解斜視図
【図４】同じく組付け状態を示す断面図
【符号の説明】
【００４８】
１…便器本体
１４…給水経路
１５…絞り部
２０…タンク（相手部材）
２２…接続筒部（位置決め部）
２３…流入口
３０…エゼクタ
３１…本体
３９…エアー吸引部
１１１…逆止弁
１１６…接続口（接続部）
３０４…ブラケット（相手部材）
３１０…位置決め片（位置決め部）
Ｖ３  …第３開閉弁（エアー開放弁）
【図１】
2008261169.tif 000003
【図２】
2008261169.tif 000004
【図３】
2008261169.tif 000005
【図４】
2008261169.tif 000006